(57)【要約】【課題】ヘッド部の小型化を図ることができ、結束対象部物に密着して結束対象物を確実に結束することができる結束バンドを提供する。【解決手段】結束対象物を結束するための結束バンド１であり、長さ方向に沿って複数の爪を多段に連続して設けた第１爪部２１を有する帯状のバンド本体部と、前記バンド本体部を前記結束対象物の周囲に巻き付けて前記バンド本体部の先端側を挿通して掛止するためのヘッド部２とを有し、前記ヘッド部には、挿通された前記バンド本体部３の前記第１爪部と掛止される第２爪部６２が設けられており、前記バンド本体部には、前記バンド本体部の長手方向に沿って、スリット３０が形成されている【選択図】図８
2015169308.tif 000002
【特許請求の範囲】
【請求項１】
結束対象物を結束するための結束バンドであり、
長さ方向に沿って複数の爪を多段に連続して設けた第１爪部を有する帯状のバンド本体部と、
前記バンド本体部を前記結束対象物の周囲に巻き付けて前記バンド本体部の先端側を挿通して掛止するためのヘッド部とを有し、
前記ヘッド部には、挿通された前記バンド本体部の前記第１爪部と掛止される第２爪部が設けられており、
前記バンド本体部には、前記バンド本体部の長手方向に沿って、スリットが形成されていることを特徴とする結束バンド。
【請求項２】
前記バンド本体部には、隣接する前記スリット同士の間に、連結部を有するように、長さ方向に沿ってほぼ梯子状に分割された複数の前記スリットを備えることを特徴とする請求項１に記載の結束バンド。
【請求項３】
前記バンド本体部の前記第１爪部は、前記バンド本体部を前記結束対象物の周囲に巻き付けた状態で外側に向く面に設けられ、
前記ヘッド部の前記第２爪部は、前記第１爪部と対向する向きに設けられていることを特徴とする請求項１または２に記載の結束バンド。
【発明の詳細な説明】
【技術分野】
【０００１】
本発明は、結束対象物を結束するための結束バンドに関する。
【背景技術】
【０００２】
結束対象物を結束する結束バンドは、帯状のバンド本体部を有している。この帯状のバンド本体部は、結束対象物の外周面に合わせて湾曲させて、このバンド本体部の一端部を、バンド本体部の他端部に設けられている係止部の貫通穴に通すことで、バンド本体は結束対象物を結束するようになっている。
この種の結束バンドは、特許文献１に開示されている。この結束バンドは、帯状のバンド本体部と、係止部を有している。帯状のバンド本体部の内側面には複数の第１の爪部が、帯状の長手方向に沿って形成されている。バンド本体部の一端部には引張部が設けられ、バンド本体部の他端部には係止部が設けられている。
【０００３】
この係止部は、バンド本体部を通すための挿通部を有しており、この挿通部の内面側の肉厚部分、すなわち結束対象物に面する側の肉厚部分の内面には、複数の第２の爪部が形成されている。
そして、結束バンドにより結束対象物を結束する際には、バンド本体部は、バンド本体部の複数の第１の爪部が内側になるようにして、すなわち複数の第１の爪部が結束対象物に接触するようにして曲げながら、係止部の挿通部内に通すことで、バンド本体部の第１の爪部を、挿通部内にある結束対象物に面する側の肉厚部分の内側の第２の爪部に対してかみ合わせることで、結束対象物を締め付けて結束できるようになっている。
【先行技術文献】
【特許文献】
【０００４】
【特許文献１】実開平６−３２３５９号公報
【発明の概要】
【発明が解決しようとする課題】
【０００５】
ところが、この従来の結束バンドでは、次のような問題がある。
上述したように、従来の結束バンドでは、挿通部の内面側の肉厚部分、すなわち結束対象物に面する側の肉厚部分の内面に、複数の第２の爪部が形成されている。そして、バンド本体部の複数の第１の爪部が内側になるように曲げながら、係止部の挿通部に通して、バンド本体部の第１の爪部を挿通部内の第２の爪部に対してかみ合わせる。
【０００６】
このように、第２の爪部が挿通部内の結束対象物に面する側の肉厚部分の内面側に形成されているので、挿通部内の結束対象物に面する側の肉厚部分は、強度の点からより薄く形成することができない。
従って、係止部の高さが大きく係止部の小型化が図れず、結束後は係止部が結束対象物から突き出してしまう。
しかも、バンド本体部の内側に第１の爪部が形成されているので、第１の爪部が、バンド本体部の長手方向に沿って結束対象物の外周囲に接触するので、バンド本体部を結束対象物の外周面に密着した状態で結束することができない。
そこで、本発明は、ヘッド部の小型化を図ることができ、結束対象部物に密着して結束対象物を確実に結束することができる結束バンドを提供することを目的とする。
【課題を解決するための手段】
【０００７】
本発明の結束バンドは、結束対象物を結束するための結束バンドであり、長さ方向に沿って複数の爪を多段に連続して設けた第１爪部を有する帯状のバンド本体部と、前記バンド本体部を前記結束対象物の周囲に巻き付けて前記バンド本体部の先端側を挿通して掛止するためのヘッド部とを有し、前記ヘッド部には、挿通された前記バンド本体部の前記第１爪部と掛止される第２爪部が設けられており、前記バンド本体部には、前記バンド本体部の長手方向に沿って、スリットが形成されていることを特徴とする。
【０００８】
上記構成によれば、バンド本体部は、長手方向に沿ってスリットを設けられており、バンド本体部は、結束対象物の２か所の位置を同時に締め付けることができるので、結束対象物を確実に結束できる。
【０００９】
好ましくは、前記バンド本体部には、隣接する前記スリット同士の間に、連結部を有するように、長さ方向に沿ってほぼ梯子状に分割された複数の前記スリットを備えることを特徴とする。
上記構成によれば、バンド本体部には、隣接するスリット同士の間に連結部を有しているので、連結部は、バンド本体部の補強が行ってバンド本体部が開いてしまうのを防ぐので、バンド本体部が結束対象物を締め付ける際に、より確実に締め付け力を発揮できる。
【００１０】
好ましくは、前記バンド本体部の前記第１爪部は、前記バンド本体部を前記結束対象物の周囲に巻き付けた状態で外側に向く面に設けられ、
前記ヘッド部の前記第２爪部は、前記第１爪部と対向する向きに設けられていることを特徴とする。
【００１１】
上記構成によれば、バンド本体部の第１爪部は、バンド本体部を結束対象物の周囲に巻き付けた状態で外側に向く面に設けられ、ヘッド部の第２爪部は、第１爪部と対向する向きに設けられているので、ヘッド部の第２爪部は、結束対象物に接する部分に設ける必要が無いので、ヘッド部の結束対象物に接する部分の強度を保つために厚肉にする必要が無い。このため、ヘッド部の高さ寸法を小さくしてヘッド部の小型化が図れる。
【００１２】
しかも、バンド本体部の第１爪部は、バンド本体部を結束対象物の周囲に巻き付ける状態で、ヘッド部の外側になる面に設けられているので、第１爪部が結束対象物の周囲に直接当たることが無い。このため、バンド本体部の内周面は、結束対象物の周囲に密着して、ほぼ真円の形状で結束することができる。従って、結束対象部物に密着して結束対象物を確実に結束することができる。このように、本発明の結束バンドを用いると、ヘッド部の小型化を図ることができ、結束対象部物に密着して結束対象物を確実に結束することができる。
【発明の効果】
【００１３】
本発明は、ヘッド部の小型化を図ることができ、結束対象部物に密着して結束対象物を確実に結束することができる結束バンドを提供することができる。
【図面の簡単な説明】
【００１４】
【図１】本発明の結束バンドの好ましい実施形態を示す斜視図である。
【図２】図２（Ａ）は、ラチェット部の形状例を示す側面図であり、図２（Ｂ）は、ラチェット部とスリットの形状例を示す平面図であり、図２（Ｃ）は、図２（Ｂ）に示すバンド本体部のＡ−Ａ線と、Ｂ−Ｂ線における断面図である。
【図３】ヘッド部を示す斜視図である。
【図４】図４（Ａ）は、図３に示すヘッド部のＣ−Ｃ線における断面図であり、図４（Ｂ）は、ヘッド部の平面図である。
【図５】図５（Ａ）は、ヘッド部の正面図であり、図５（Ｂ）は、ヘッド部の背面図である。
【図６】本発明の実施形態の結束バンドが、結束対象物を結束している状態を示す図である。
【図７】結束バンドにより結束対象物の重なり部分を結束している状態を示す図である。
【図８】ヘッド部において、バンド本体部を通して噛み合わせた状態を示す拡大図である。
【図９】図９（Ａ）と図９（Ｂ）は、本発明の実施形態におけるバンド本体部の断面形状例を示す図である。
【図１０】本発明の別の実施形態を示す図である。
【図１１】本発明の範囲外である比較例１から比較例３を示す図である。
【図１２】本発明の範囲外である比較例４を示す図である。
【発明を実施するための形態】
【００１５】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
（第１実施形態）
図１は、本発明の結束バンドの好ましい実施形態を示す斜視図である。
図１に示す結束バンド１は、ヘッド部２と、バンド本体部３を有している。この結束バンド１は、タイバンドともいい、耐熱性や可撓性を有するプラスチックにより形成されており、ヘッド部２とバンド本体部３は一体的に成形されている。
【００１６】
図１は、本発明の結束バンドの好ましい実施形態を示す斜視図である。
図１に示す結束バンド１は、結束対象物として、チューブを周囲に巻いて結束したり、複数本の線状物、例えば電気コード等を重ねて結束したりする用途に使用することができる。
以下では、その代表として、柔軟なチューブを長さ方向に接続する場合を例にして説明する。
図１において、結束バンド１は、ヘッド部２と、バンド本体部３を有している。この結束バンド１は、タイバンドともいい、耐熱性や可撓性を有するプラスチックにより形成されており、ヘッド部２とバンド本体部３は一体的に成形されている。
このプラスチック材料は、伸び難い材質であり、例えば医療現場で滅菌処理する際に、滅菌による熱履歴においても、締め込み力（結束力）を維持することができる。結束バンド１を形成するプラスチック材料の例としては、例えば６６ナイロン、４６ナイロン、ポリプロピレン、ふっ素樹脂等であるが、特に限定されない。結束バンド１は、特に好ましくは耐候性や耐熱性を有するプラスチック材料、例えば耐候性６６ナイロンや耐熱性６６ナイロン等により形成することもできる。また、結束バンド１の色は、黒、白、赤等、特に限定されない。
【００１７】
図１に示すように、結束バンド１のヘッド部２は、バンド本体部３の一端部４に一体的に設けられており、バンド本体部３の他端部は、ヘッド部２内に挿入される挿入端部５である。この挿入端部５をヘッド部２側に挿入し易いように、挿入端部５には丸み部分５Ａが形成されている。
まず、バンド本体部３の好ましい構造例を、図１を参照して説明する。
図１に示すバンド本体部３は、外面部１０と、基部１１と、側面部１２，１３を有している。基部１１は平滑な面である。バンド本体部３の断面は、長方形状である。これに対して、外面部１０は、延長部分１８と、接続部分１９と、ラチェット部２０を有している。このラチェット部２０は、バンド本体部３の長手方向Ｔに沿って形成されている。ラチェット部２０は、延長部分１８と接続部分１９との間に形成されている。接続部分１９は、ラチェット部２０の一端部と、ヘッド部２の間に形成されている。延長部分１８は、ラチェット部２０の他端部に形成されており、延長部分１８は、使用者が、この結束バンド１を使用する際に、指で掴む部分である。
【００１８】
図１に示すように、ラチェット部２０は、長手方向に沿って多段に爪を形成した第１爪部２１を有しており、この第１爪部２１は、Ｓ方向に形成されている。このＳ方向は、長手方向Ｔとは直交する方向である。各第１爪部２１の形状例は、図２に示している。図２（Ａ）は、ラチェット部２０の形状例を示す側面図であり、図２（Ｂ）は、ラチェット部２０と、スリット３０の形状例を示す平面図である。図２（Ｃ）は、図２（Ｂ）に示すバンド本体部３のＡ−Ａ線と、Ｂ−Ｂ線における断面図である。
図２（Ａ）を参照すると、各第１爪部２１は、例えば直角三角形状の断面を有しており、垂直面部２２と、傾斜面部２３を有している。垂直面部２２は、Ｚ方向に向いており、このＺ方向は、Ｓ方向と長手方向Ｔにそれぞれ垂直である。傾斜面部２３は、ヘッド部２から、延長部分１８側に下がるように傾斜されている。図１のＴ方向右（バンド本体の挿入方向）側に傾斜面部２３である傾斜案内面２３が設けられ、Ｔ方向左（バンド本体の挿入方向と反対方向）側に垂直面部である掛止段部２２が設けられている。
【００１９】
図１と図２（Ｂ）に示すように、バンド本体部３には、長手方向Ｔに沿って複数のスリット３０が、長手方向Ｔに沿って、直列に形成されている。バンド本体部３には、このスリット３０を設けることにより、バンド本体部３は、図２（Ｂ）に示すように、第１バンド部分３Ａと第２バンド部分３Ｂの２本に分かれている。これらの第１バンド部分３Ａと第２バンド部分３Ｂの断面形状は、共に長方形であるが、特に限定されない。
【００２０】
後で説明するが、バンド本体部３には、これらのスリット３０を設けることにより、バンド本体部３が結束対象物に密着するために、弾性変形する自由度が上がることから、結束対象物の外周囲に対して密着させながら、結束対象物を確実に結束することができる。この点については、後で説明する。
ただし、図１と図２（Ｂ）に示すように、これらのスリット３０の間には、連結部３１が形成されている。すなわち、バンド本体部３には、隣接するスリット３０同士の間に、連結部３１を有するように、長さ方向に沿ってほぼ梯子状に分割された複数のスリット３１を備える。このように、バンド本体部３には、複数の箇所に連結部３１が設けられているので、これらの連結部３１が無い場合に比べて、バンド本体部３の第１バンド部分３Ａと第２バンド部分３Ｂが外側に撓みすぎることが無くなり、一定の間隔を保ちながら、結束対象物１００を確実に締め付けることができるだけの強度を保つことができる。
【００２１】
次に、図３から図５を参照して、図１に示す結束バンド１のヘッド部２の好ましい構造例を説明する。
図３は、ヘッド部２を示す斜視図である。図４（Ａ）は、図３に示すヘッド部２のＣ−Ｃ線における断面図であり、図４（Ｂ）は、ヘッド部２の平面図である。図５（Ａ）は、ヘッド部２の正面図であり、図５（Ｂ）は、ヘッド部２の背面図である。図６は、本発明の実施形態の結束バンド１が、結束対象物１００を結束している状態を示す図である。
図３と図４（Ａ）に示すように、ヘッド部２は、第１側面部４１と、第２側面部４２と、前面部４３と、背面部４４と、ヘッド部２の基部としての内面案内部４５を有している。第１側面部４１と第２側面部４２は、長手方向Ｔに平行である。第１側面部４１は、上傾斜面４１Ａと、外面４１Ｂと、内面４１Ｃと、底面４１Ｄを有している。同様にして、第２側面部４２は、上傾斜面４２Ａと、外面４２Ｂと、内面４２Ｃと、底面４２Ｄを有している。
【００２２】
図５（Ａ）と図４に示すように、前面部４３は、バンド本体部の挿通路５０と、ヘッド部の掛止片６０を有している。この掛止片６０は、ヘッド部のラチェット掛止片であり、基端側がヘッド部に固定され、短い短冊状に伸びて先端側が弾性により、上下に搖動できる弾性体である。バンド本体部の挿通路５０は、図１に示すバンド本体部３の挿入端部５を、ヘッド部２の内部空間Ｓ内において、挿入方向Ｇに沿って挿入するための開口部である。ヘッド部の掛止片６０は、バンド本体部３のラチェット部２０とかみ合うようになっている。
【００２３】
図３と図４（Ａ）に示すように、ヘッド部の掛止片６０は、取付け部６１と、複数の第２爪部６２を有している。ヘッド部の掛止片６０は、取付け部６１に対して片持ちばりの形で、長手方向Ｔに沿って平行になるように突出して形成されている。すなわち、ヘッド部２の第２爪部６２は、ヘッド部２の挿通路５０内で片持ち式に固定され先端側が搖動可能とされた掛止片６０に対して形成されており、挿通路５０にバンド本体３を通すと、掛止片６０が弾性変形して、第２爪部６２が、バンド本体部３の第１爪部２１に噛み合うようになっている。
ここでは、図４（Ａ）に示すように、複数の第２爪部６２は、ヘッド部の掛止片６０の下面６３側において形成されており、ヘッド部の掛止片６０は、例えば３つあるいは４つ程度の第２爪部６２を備えている。各第２爪部６２は、バンド本体部３のラチェット部２０の第１爪部２１と同様の大きさと形状を有している。すなわち、各第２爪部６２は、例えば直角三角形状の断面を有しており、垂直面部６４と、傾斜面部６５を有している。傾斜面部６５は、挿入方向Ｇ側に下がるように傾斜されている。
【００２４】
図３と図４（Ａ）に示すように、背面部４４には開口部４４Ｐが設けられている。この開口部４４Ｐは、背面部４４の上部４４Ｒと、バンド本体部３の接続部分１９と第１側面部４１と第２側面部４２により囲まれて形成されており、この開口部４４Ｐは長方形であり、バンド本体部３を通すようになっている。
【００２５】
図１と図４に示すように、基部４５は、バンド本体部３の挿入端部５を指で持ってバンド本体部３をほぼ円形状に曲げて、ヘッド本体部２の挿通路５０に挿入すると、図４に示すように、このバンド本体部３の挿入端部５を斜め上方向に、すなわち挿入方向Ｇに沿って斜め上方向に案内して、開口部４４Ｐに導く。基部４５の内側底面４５Ｌは、長手方向Ｔに対して角度θで傾斜されている。この内側底面４５Ｌは、ヘッド部２の挿通路５０の内側底面であり、この内側底面４５Ｌは、バンド本体部３を挿通路５０に通す際の案内部であり、内側底面４５Ｌは、バンド本体部３を挿通路５０に通す方向に沿って徐々に高くなるように傾斜されている。
【００２６】
これにより、作業者が、図１に示すバンド本体部３の挿入端部５を指で持って、ヘッド本体部２の挿通路５０に挿入すると、この挿入端部５は、ヘッド部２の内部空間Ｓ内において、挿入方向Ｇに沿って斜め上方向にさらに挿入されて、開口部４４Ｐから外部と引き出すことができる。このようにすることで、バンド本体部３は、ヘッド部の掛止片６０の下面側の第２爪部６２と、基部４５の内側底面４５Ｌとの間を通るので、ヘッド部の掛止片６０は、バンド本体部３の通過により、取付け部６１を中心にして、ＲＲ方向に弾性変形して押し上げられる。
【００２７】
従って、バンド本体部３の第１爪部２１は、ヘッド部の掛止片６０の第２爪部６２に対して、基部４５の内側底面４５Ｌとの間で挟まれた状態で、確実に噛み合うようになっている。このように、バンド本体部３の第１爪部２１は、ヘッド部の掛止片６０の第２爪部６２に噛み合うと、バンド本体部３は、挿入方向Ｇとは反対方向には戻らないので、後で説明するが、図６に示すように、結束バンド１は結束対象物１００を緩まないように結束することができる。
【００２８】
図６では、結束対象物１００の一例としてチューブを使用する場合の断面である。また、図７では、結束対象物１００としてのチューブどうしの断面の間には結合のためのコネクタ１０１を介在させることによりこれらを結合している。この場合、チューブどうしを結合して、その外側に結束バンド1が配置されている。図７は、結束バンド１により結束対象物１００の重なり部分１３０を結束して、結合状態を確実にしている状態を示す図である。図８は、ヘッド部２において、バンド本体部３を通して噛み合わせた状態を示す拡大図である。
この結束対象物１００は、図７（Ａ）に例示するように、竹槍状の段付きコネクタ１０１と、チューブ１０２を嵌合した部分である。竹槍状の段付きコネクタ１０１と、チューブ１０２は、好ましくは医療機器、例えば体外循環装置に用いることができるが、コネクタとチューブが適用できる機器の分野は、医療機器だけではなく、特に限定されない。
【００２９】
図７（Ａ）に示す竹槍状の段付きコネクタ１０１とチューブ１０２は、共に例えば透明でフレキシブル性を有している。竹槍状の段付きコネクタ１０１は、第１段部１０１Ａと、第２段部１０１Ｂを有している。チューブ１０２は、通常の円形状のチューブである。チューブ１０２の先端部１０２Ａは、竹槍状の段付きコネクタ１０１の第１段部１０１Ａと第２段部１０１Ｂの外周部分に被せてあり、チューブ１０２の先端部１０２Ａは、竹槍状の段付きコネクタ１０１の第１段部１０１Ａと第２段部１０１Ｂの外周部分に密着している。
【００３０】
次に、上述した構造を有する結束バンド１の使用例を説明する。
図７（Ａ）と図７（Ｂ）に示すように、結束バンド１は、竹槍状の段付きコネクタ１０１の第１段部１０１Ａと、チューブ１０２の先端部１０２Ａとの重なり部分１３０の外周囲に装着することで、竹槍状の段付きコネクタ１０１の第１段部１０１Ａとチューブ１０２の先端部１０２Ａとの重なり部分１３０を確実に結束する。これにより、この重なり部分１３０の結束を最も強くすることができる。
【００３１】
より具体的に説明すると、作業者は、バンド本体部３のスリット３０内に、竹槍状の段付きコネクタ１０１の第１段部１０１Ａとチューブ１０２の先端部１０２Ａの重なり部分１３０を位置させるように、バンド本体部３を重なり部分１３０の外周囲に巻き付ける。
そして、作業者は、図１に示すバンド本体部３の挿入端部５を、図４（Ａ）に示すヘッド部２のバンド本体部の挿通路５０に差し込む。このように、作業者が、図１に示すバンド本体部３の挿入端部５を指で持って、ヘッド本体部２の挿通路５０に挿入すると、図６と図８に示すように、この挿入端部５は、ヘッド部２の内部空間Ｓ内において、挿入方向Ｇに沿ってやや斜め上方向にさらに挿入されて、開口部４４Ｐから外部と引き出すことができる。
【００３２】
このようにすることで、図８に示すように、バンド本体部３の第１爪部２１は、ヘッド部の掛止片６０の第２爪部６２と基部４５の内側底面４５Ｌとの間を通るので、ヘッド部の掛止片６０は取付け部６１を中心にして、ＲＲ方向に弾性変形して押し上げられる。
従って、図８に示すように、バンド本体部３の第１爪部２１は、ヘッド部の掛止片６０の第２爪部６２に対して、ヘッド部の掛止片６０の第２爪部６２と基部４５の内側底面４５Ｌとの間で挟まれた状態で、押し付けられながら確実に噛み合う。このように、バンド本体部３の第１爪部２１は、ヘッド部の掛止片６０の第２爪部６２に押し付けられながら噛み合うと、バンド本体部３は、挿入方向Ｇとは反対方向には戻らない。このため、図６と図７に示すように、結束バンド１は、結束対象物１００の竹槍状の段付きコネクタ１０１の第１段部１０１Ａとチューブ１０２の先端部１０２Ａとの重なり部分１３０を、確実に結束することができる。
【００３３】
また、図６と図８に示すように、１本の結束バンド１のバンド本体部３は、結束対象物１００の竹槍状の段付きコネクタ１０１の第１段部１０１Ａとチューブ１０２の先端部１０２Ａとの重なり部分１３０の外周囲に装着している。このバンド本体部３の装着状態では、バンド本体部３の複数の第１爪部２１は外側おいて表出しており、重なり部分１３０側には向いていない。言い換えれば、１本の結束バンド１のバンド本体部３の平滑な内面部１１が重なり部分１３０に密着している。これにより、１本の結束バンド１は、結束対象物１００の外周囲に密着しながら、ほぼ真円に近い形状で、結束対象物１００を確実に結束することができる。
【００３４】
さらに、図６と図８に示すように、１本の結束バンド１のバンド本体部３の挿入端部５は、バンド本体部の挿通路５０から、ヘッド部２の内部空間Ｓ内において、挿入方向Ｇに沿ってやや斜め上方向に挿入して、結束対象物１００を結束することができる。このように、挿入端部５は、挿入方向Ｇに沿って引っ張るだけで結束できる。すなわち、ヘッド部２は、挿入方向Ｇに沿ってバンド本体部３を引っ張ることで噛み合う構造を採用しており、挿入方向Ｇは結束対象物１００のほぼ接線方向である。このため、１本の結束バンド１は、結束対象物１００の外周囲に密着しながら、ほぼ真円に近い形状で、確実に結束することができる。
【００３５】
１本の結束バンド１は、竹槍状の段付きコネクタ１０１の第１段部１０１Ａとチューブ１０２の先端部１０２Ａとの重なり部分１３０の外周囲に装着し、しかもバンド本体部３のスリット３０内に、この重なり部分１３０に位置されるように、隙間の無いように密着してほぼ真円形状に、バンド本体部３を重なり部分１３０の外周囲に巻き付ける。
これにより、１本の結束バンド１は、重なり部分１３０におけるチューブ１０２の抜けを防止し、耐圧強度を保持することができる。
【００３６】
このように、１つの結束バンド１を重なり部分１３０に対して、隙間の無いように密着してほぼ真円形状に巻き付けて結束するだけで、竹槍状の段付きコネクタ１０１からチューブ１０２が抜けてしまうのを防ぐことができ、結束作業性の確実性と作業効率が向上する。結束作業による竹槍状の段付きコネクタ１０１とチューブ１０２の結束状態の維持は、例えば体外循環装置のような医療機器では、トラブルを防ぐ意味から特に重要である。
【００３７】
（本発明の他の実施形態）
図９（Ａ）と図９（Ｂ）は、本発明の実施形態におけるバンド本体部３の断面形状例を示している。
図９（Ａ）に示すバンド本体部３の断面形状例は、長方形である。すなわち、バンド本体部３のスリット３０側の内面３Ｎは、垂直である。このようなバンド本体部３の断面形状を採用することができるが、さらに好ましくは、図９（Ｂ）に示すバンド本体３の断面形状例を採用することができる。
図９（Ｂ）に示すバンド本体３の断面形状例では、バンド本体部３のスリット３０側の内面３Ｍは、内面側に傾斜している。これにより、スリット３０の面積が小さくなる一方、図９（Ｂ）に示すバンド本体部３の断面積が、図９（Ａ）に示すバンド本体部３の断面積に比べて大きくなる。これにより、重なり部分１３０に対する密着力が増し、結束バンド１による重なり部分１３０に対する締め付け力を増加することができる。
【００３８】
図１０（Ａ）と図１０（Ｂ）は、本発明のさらに別の実施形態を示している。
図７に示す本発明の実施形態では、バンド本体部３は、複数のスリット３０を有し、しかも各スリット３０の間には、連結部３１が形成されていることで、構造強度が強化されている。
これに対して、図１０（Ａ）に示す本発明の別の実施形態では、バンド本体部３の内面部１１には、溝部１１Ｍが長手方向Ｔに沿って形成されている。この１本の結束バンド１のバンド本体部３の溝部１１Ｍは、結束対象物１００の重なり部分１３０に当てることにより、１本の結束バンド１は、結束対象物１００の外周囲に密着しながら、ほぼ真円に近い形状で、確実に結束することができる。
【００３９】
図１０（Ｂ）に示す本発明のさらに別の実施形態では、バンド本体部３は、スリット３０Ｂを、長手方向Ｔに沿って形成されている。この１本の結束バンド１のバンド本体部３の溝部１１Ｍは、結束対象物１００の重なり部分１３０に当てることにより、１本の結束バンド１は、結束対象物１００の外周囲に密着しながら、ほぼ真円に近い形状で、確実に結束することができる。
【００４０】
次に、図１１を参照して、本発明の範囲外である比較例１から比較例３を説明する。
図１１は、本発明の範囲外である比較例１から比較例３を示している。
図１１（Ａ）に示す比較例１では、１本の通常用いられている結束バンド４００は、竹槍状の段付きコネクタ１０１とチューブ１０２の重なり部分４３０の外周囲を結束している。この比較例１では、重なり部分１３０よりも後側の重なり部分４３０を結束しているので、チューブ１０２に屈曲負荷等を加えた場合に、耐圧を保持できずに、重なり部分４３０から内部を通る流体がリークしてしまう可能性があるので、好ましくない。
【００４１】
また、図１１（Ｂ）に示す比較例２では、１本の通常用いられている結束バンド４００は、竹槍状の段付きコネクタ１０１とチューブ１０２の重なり部分４５０の外周囲を結束している。この比較例２では、重なり部分１３０よりも前側の傾斜した重なり部分４５０を結束しているので、耐圧を保持できずに、重なり部分４３０から内部を通る流体がリークしてしまう時に、チューブ１０２が外れてしまう可能性があるので、好ましくない。
【００４２】
図１１（Ｃ）に示す比較例３では、１本ではなく、２本の通常用いられている細い結束バンド４０１，４０２が、重なり部分４３０の外周囲と重なり部分４５０の外周囲をそれぞれ結束している。このように２本の細い結束バンド４０１，４０２を使用すれば、耐圧強度を維持できるが、２本の結束バンド４０１，４０２を用いて結束するので、結束作業に時間と手間がかかる。このため、２本の細い結束バンド４０１，４０２を用いることは好ましくない。
【００４３】
図１２は、本発明の範囲外である比較例４を示す図である。
図１２（Ａ）と図１２（Ｂ）に示す比較例４では、通常用いられている結束バンド５００が、結束対象物１００を結束している。結束バンド５００は、サイズの大きなヘッド部５１０を有している。図１２（Ｂ）に示すように、ヘッド部５１０の内部の基部５１２上には、ヘッド部５１０側の受側の爪部５１１が形成されている。一方、バンド本体部５０２は、その基部５０３側に爪部５０４が形成されている。
【００４４】
従来用いられているこの結束バンド５００は、図１２（Ａ）と図１２（Ｂ）に示す構造を採用しているので、バンド本体部５０２は、ヘッド部５１０内を、ヘッド部５１０の下側からＷＳ方向に通して引っ張ることにより、バンド本体部５０２の基部５０３側の爪部５０４は、ヘッド部５１０内において、ヘッド部５１０側の受側の爪部５１１に噛み合うことで、結束対象物１００を結束している。
【００４５】
このように、バンド本体部５０２は、ヘッド部５１０内を、結束対象物から離れる方向であるＷＳ方向に通して引っ張るので、ヘッド部５１０と結束対象物１００との間には隙間ＰＳが生じてしまう。このため、結束バンド５００は、結束対象物１００を真円に近い形状で締め付けることができない。
また、ヘッド部５１０のサイズが大きいので、ヘッド部５１０が結束作業に邪魔になる。ヘッド部５１０がこのように大きくなってしまうのは、ヘッド部５１０側の受側の爪部５１１が、ヘッド部５１０の内部の基部５１２上に形成されているので、強度を確保するために、基部５１２の肉厚５１２Ｒを大きく確保しなければならないためである。ヘッド部５１０のサイズが大きいと、作業者が結束作業の際に、結束作業の邪魔になるばかりでなく、手袋をヘッド部５１０に引っ掛けてしまう可能性があるので、好ましくない。
【００４６】
さらに、図１２（Ａ）に示すように、バンド本体部５０２の爪部５０４は、バンド本体部５０２の内面側に形成されているので、結束の際には、この爪部５０４は結束対象物１００の外周囲に直接当たってしまう。このため、バンド本体部５０２の爪部５０４が邪魔になって、バンド本体部５０２は、結束対象物１００を密着して結束することができない。
【００４７】
これに対して、図４と図８に示す本発明の実施形態の結束バンド１では、すでに説明したように、作業者が、バンド本体部３の挿入端部５を指で持って、ヘッド本体部２の挿通路５０に挿入すると、この挿入端部５は、ヘッド部２の内部空間Ｓ内において、挿入方向Ｇに沿ってやや斜め上方向にさらに挿入されて、開口部４４Ｐから外部と引き出すことができる。バンド本体部３の第１爪部２１は、ヘッド部の掛止片６０の第２爪部６２に対して、ヘッド部の掛止片６０の第２爪部６２と基部４５の内側底面４５Ｌとの間を通るので、ヘッド部の掛止片６０は取付け部６１を中心にして、ＲＲ方向に弾性変形して押し上げられる。
従って、図８に示すように、バンド本体部３の第１爪部２１は、ヘッド部の掛止片６０の第２爪部６２に確実に噛み合う。ヘッド部２の高さＤＤを薄型化することができるので、作業者が結束作業の際に、手袋をヘッド部５１０に引っ掛けるようなことが無い。しかも、結束バンド１は、ほぼ真円状態で、結束対象物１００を結束することができる。
【００４８】
本発明の実施形態の結束バンド１は、長さ方向に沿って複数の爪を多段に連続して設けた第１爪部２１を有する帯状のバンド本体部３と、バンド本体部３を結束対象物１００の周囲に巻き付けてバンド本体部３の先端側を挿通して掛止するためのヘッド部２とを有し、ヘッド部２には、挿通されたバンド本体部３の第１爪部２１と掛止される第２爪部６２が設けられており、バンド本体部３の第１爪部２１は、バンド本体部３を結束対象物１００の周囲に巻き付けた状態で外側に向く面に設けられ、ヘッド部２の第２爪部６２は、第１爪部２１と対向する向きに設けられている。
【００４９】
これにより、バンド本体部の第１爪部は、バンド本体部を結束対象物の周囲に巻き付けた状態で外側に向く面に設けられ、ヘッド部の第２爪部は、第１爪部と対向する向きに設けられているので、ヘッド部の第２爪部は、結束対象物に接する部分に設ける必要が無いので、ヘッド部の結束対象物に接する部分の強度を保つために厚肉にする必要が無い。このため、ヘッド部の高さ寸法を小さくしてヘッド部の小型化が図れる。
しかも、バンド本体部の第１爪部は、バンド本体部を結束対象物の周囲に巻き付ける状態で、ヘッド部の外側になる面に設けられているので、第１爪部が結束対象物の周囲に直接当たることが無い。このため、バンド本体部の内周面は、結束対象物の周囲に密着して、ほぼ真円の形状で結束することができる。従って、結束対象部物に密着して結束対象物を確実に結束することができる。このように、本発明の結束バンドを用いると、ヘッド部の小型化を図ることができ、結束対象部物に密着して結束対象物を確実に結束することができる。
【００５０】
また、ヘッド部は、バンド本体部を通すことができる空間または隙間である挿通路を有し、かつ、挿通路に、バンド本体部に設けられた第１爪部と噛み合う第２爪部が設けられているので、ヘッド部の挿通路内にバンド本体部を通すだけで、バンド本体部の第１爪部は、ヘッド部の第２爪部に噛み合わせることができる。
【００５１】
ヘッド部の第２爪部は、ヘッド部の挿通路内で片持ち式に固定され先端側が搖動可能とされた掛止片に対して形成されており、挿通路にバンド本体を通すと、掛止片が弾性変形して、第２爪部が、バンド本体部の第１爪部に噛み合う。これにより、ヘッド部の掛止片は、ヘッド部の挿通路内で片持ち式に形成されており、ヘッド部の第２爪部は、バンド本体を通すと掛止片が弾性変形してバンド本体部の第１爪部に対して押されるので、第２爪部と第１爪部は確実に噛み合せることができ、結束対象物の結束を確実に行える。
【００５２】
ヘッド部の挿通路の内側底面は、バンド本体部を挿通路に通す際の案内部であり、内側底面は、バンド本体部を挿通路に通す方向に沿って徐々に高くなるように傾斜した傾斜面とされている。これにより、内側底面は、バンド本体部を挿通路に通す方向に進むに従って高くなるように傾斜されているので、バンド本体部の第１爪部は、ヘッド部の第２爪部に対して、より強い力で噛み合わせることができる。このため、結束バンドは、結束対象物の結束をより確実に行える。
【００５３】
バンド本体部には、バンド本体部の長手方向に沿って、スリットが形成されている。これにより、バンド本体部は、長手方向に沿ってスリットを設けているので、バンド本体部は、結束対象物の２か所の位置を同時に締め付けることができるので、結束対象物を確実に結束できる。
【００５４】
バンド本体部には、隣接するスリット同士の間に、連結部を有するように、長さ方向に沿ってほぼ梯子状に分割された複数のスリットを備える。これにより、バンド本体部には、隣接するスリット同士の間に連結部を有しているので、連結部は、バンド本体部の補強が行ってバンド本体部が開いてしまうのを防ぐので、バンド本体部が結束対象物を締め付ける際に、より確実に締め付け力を発揮できる。
【００５５】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
図示例のヘッド部やバンド本体部の形状、爪部の形状は、用途に合わせて任意に設定することができる。
【符号の説明】
【００５６】
１・・・結束バンド、２・・・ヘッド部、３・・・バンド本体部、２１・・・第１爪部、３０・・・スリット、３１・・・連結部、４５・・・ヘッド部の基部、５０・・・挿通路、６０・・・ヘッド部の掛止片（ラチェット掛止片）、６２・・・第２爪部、１００・・・結束対象物、
【図１】
2015169308.tif 000003
【図２】
2015169308.tif 000004
【図３】
2015169308.tif 000005
【図４】
2015169308.tif 000006
【図５】
2015169308.tif 000007
【図６】
2015169308.tif 000008
【図７】
2015169308.tif 000009
【図８】
2015169308.tif 000010
【図９】
2015169308.tif 000011
【図１０】
2015169308.tif 000012
【図１１】
2015169308.tif 000013
【図１２】
2015169308.tif 000014